(57)【要約】【課題】三番排塵口の選別排風の風量調節のみのため、三番排塵口から三番物が飛散捨て脱穀ロスとなる。【解決手段】走行装置２の前方に刈取部４を上方に脱穀装置３を設け、前記脱穀装置３の脱穀室１１の下方に風選室１８を設け、該風選室１８に揺動選別装置２１を設ける。揺動選別棚２０の上方の一側には前記脱穀室１１に連通し扱胴１０と略平行な排塵処理胴３１を有する排塵処理装置３０を設け、前記揺動選別棚２０の終端上方の他側には吸引排塵ファン４３の吸引口４５を開口させ、前記揺動選別棚２０の後部は、前記脱穀装置３の後側壁５５に形成した三番排塵口５６に臨ませ、三番排塵口５６には該三番排塵口５６を開閉する三番排塵口シャッタ５７を設けたコンバイン。【選択図】図２
2009232740.tif 000002
【特許請求の範囲】
【請求項１】
走行装置（２）の前方に刈取部（４）を設け、前記走行装置（２）の上方に脱穀装置（３）を設け、該脱穀装置（３）は、上部に扱胴（１０）を軸装した脱穀室（１１）の下方に、唐箕（１６）からの送風により風選する風選室（１８）を設け、該風選室（１８）に往復揺動する揺動選別棚（２０）により構成した揺動選別装置（２１）を設け、前記揺動選別棚（２０）の上方の一側には前記脱穀室（１１）に連通し前記扱胴（１０）と略平行な排塵処理胴（３１）を有する排塵処理装置（３０）を設け、前記揺動選別棚（２０）の終端上方の他側には吸引排塵ファン（４３）の吸引口（４５）を開口させ、前記揺動選別棚（２０）の後部は、前記脱穀装置（３）の後側壁（５５）に形成した三番排塵口（５６）に臨ませ、三番排塵口（５６）には該三番排塵口（５６）を開閉する三番排塵口シャッタ（５７）を設けたことを特徴とするコンバイン。
【請求項２】
請求項１において、前記脱穀装置（３）の後側には一対のカッター刃（４９）を有するカッター装置（４８）を設け、カッター装置（４８）と前記脱穀装置（３）の後側壁（５５）の間には、後側に至るに従い下方に位置するように後下がりに傾斜させた切藁案内板（５０）を設け、前記三番排塵口シャッタ（５７）は、前記三番排塵口（５６）を開口させた状態で、前記切藁案内板（５０）の下方で沿う構成としたことを特徴とするコンバイン。
【発明の詳細な説明】
【技術分野】
【０００１】
本発明は、コンバインの脱穀装置に係るものである。
【背景技術】
【０００２】
従来、走行装置の前方に刈取部を設け、前記走行装置の上方に脱穀装置を設け、前記脱穀装置は、上部に扱胴を軸装した脱穀室の下方に、唐箕からの送風により風選する風選室を設け、該風選室に往復揺動する揺動選別棚により構成した揺動選別装置を設けて構成し、揺動選別棚の終端上方には横断流吸引ファンを設け、横断流吸引ファンのケーシングの下方に遮蔽体を設けた構成は、公知である（特許文献１）。
【特許文献１】特開平９−１８７１５９号公報
【発明の開示】
【発明が解決しようとする課題】
【０００３】
前記公知例は、単に、三番排塵口からの選別排風の風量を調節するために遮蔽体を設けているので、三番排塵口からの選別排風の風量調節しかできないという課題がある。
本願は、三番排塵口を三番排塵口シャッタにより閉塞する構成を工夫し、三番ロスの低減のみならず、選別処理精度を向上させ、脱穀効率を向上させたものである。
【課題を解決するための手段】
【０００４】
本発明は、走行装置２の前方に刈取部４を設け、前記走行装置２の上方に脱穀装置３を設け、前記脱穀装置３は、上部に扱胴１０を軸装した脱穀室１１の下方に、唐箕１６からの送風により風選する風選室１８を設け、該風選室１８に往復揺動する揺動選別棚２０により構成した揺動選別装置２１を設け、前記揺動選別棚２０の上方の一側には前記脱穀室１１に連通し前記扱胴１０と略平行な排塵処理胴３１を有する排塵処理装置３０を設け、前記揺動選別棚２０の終端上方の他側には吸引排塵ファン４３の吸引口４５を開口させ、前記揺動選別棚２０の後部は、前記脱穀装置３の後側壁５５に形成した三番排塵口５６に臨ませ、三番排塵口５６には該三番排塵口５６を開閉する三番排塵口シャッタ５７を設けたことを特徴とするコンバインとしたものであり、刈取部４で刈り取られた穀稈は、脱穀室１１で回転する扱胴１０により脱穀され、脱穀された被処理物は、風選室１８内で往復揺動する揺動選別棚２０により選別され、穀粒は、揺動選別棚２０から落下して一番コンベアに回収され、揺動選別棚２０から落下しない藁屑は、揺動選別棚２０の終端より後方に移送されて排出される。
また、脱穀室１１に連通する排塵処理装置３０で処理された穀粒は、揺動選別棚２０上に落下し、揺動選別棚から落下して一番コンベアに回収され、揺動選別棚２０から落下しない排塵物は揺動選別棚２０の終端から排出される。
しかして、揺動選別棚２０の後方の脱穀装置３の後側壁５５には三番排塵口５６を設け、三番排塵口５６には該三番排塵口５６を開閉する三番排塵口シャッタ５７を設けているから、排塵処理装置３０の終端側の処理網から排出される穀粒を揺動選別棚２０により回収でき、三番ロスの発生を防止して脱穀効率を向上させる。
この場合、排塵処理装置３０と吸引排塵ファン４３の吸引口４５とは、揺動選別棚２０を挟んで対峙して配置しているので、三番排塵口シャッタ５７を閉めると、排塵処理装置３０から吸引排塵ファン４３の吸引口４５に至る間の揺動選別棚２０で篩い選別され、カギ又などの回収効率を一層向上させる。
本発明は、前記脱穀装置３の後側には一対のカッター刃４９を有するカッター装置４８を設け、カッター装置４８と前記脱穀装置３の後側壁５５の間には、後側に至るに従い下方に位置するように後下がりに傾斜させた切藁案内板５０を設け、前記三番排塵口シャッタ５７は、前記三番排塵口５６を開口させた状態で、前記切藁案内板５０の下方で沿う構成としたことを特徴とするコンバインとしたものであり、三番排塵口シャッタ５７は、三番排塵口５６を開口させているとき、カッター装置４８の前側の切藁案内板５０の下方で切藁案内板５０に沿うように設けているので、三番排塵口シャッタ５７の上面(後面）に切藁案内板５０からの切断藁や泥土が溜まるのを防止し、切断藁や泥土の溜まりを防止できる範囲で三番排塵口シャッタ５７の開放角度を大きくして、三番排塵口５６における詰まり発生を防止する。
【発明の効果】
【０００５】
請求項１の発明では、三番排塵口シャッタ５７により三番排塵口５６を閉塞して排塵処理装置３０から吸引排塵ファン４３へ揺動選別棚２０上を被処理物を移動させられるので、三番物の飛散を防止のみならず、三番物の回収効率を向上させ、脱穀精度および脱穀性能を向上させることができる。
請求項２の発明では、上記請求項１記載の発明の効果を奏する上に、三番排塵口５６を開口させたときの三番排塵口シャッタ５７上への異物の滞留や付着を防止でき、三番排塵口シャッタ５７の開閉を良好にできる。
【発明を実施するための最良の形態】
【０００６】
本発明の一実施例をコンバインの例にて図面により説明すると、１はコンバインの機体フレーム、２は左右一対のクローラを有する走行装置、３は機体フレーム１の上方に設けた脱穀装置、４は脱穀装置３の前側に設けた刈取部、６は脱穀装置３の側部に設けたグレンタンク、６はグレンタンク５の前方に設けた操縦部、７は排出オーガである。
前記脱穀装置３は、上部に扱胴１０を略水平に軸装した脱穀室１１を設け、脱穀室１１の一側（機体走行方向の例えば左側）には前記刈取部４により刈り取った穀稈を供給搬送する穀稈供給搬送装置１２の穀稈を挾持搬送する挾扼杆１３Ａと供給搬送チエン１３Ｂ（図２）を設けている。１４は穀稈供給搬送装置１２から引き継いだ脱穀済みの排藁を搬送する排藁搬送装置である。
なお、理解を容易にするため、便宜的に方向を示して説明しているが、これらにより構成が限定されるものではない。
【０００７】
扱胴１０の主として下方側は扱網１５により包囲し、扱網１５の下方には唐箕１６の唐箕ケーシング１７を設ける。前記脱穀室１１の下方には前記唐箕１６の送風により穀粒と異物とを風選し得る風選室１８を形成し、風選室１８内には唐箕１６の送風方向（前後方向）に往復揺動する揺動選別棚２０により構成した揺動選別装置２１を設ける。
揺動選別装置２１は、その揺動選別棚２０の始端部（前端部）を唐箕ケーシング１２の上方に位置させて移送棚部２２に形成する。移送棚部２２の構成は任意であり、移送方向下手側を低く傾斜させたり、あるいは、移送棚部２２の上面に突起や凹凸を設けて、揺動選別装置２１の移送方向下手側のグレンシーブ２３に向けて扱網１５からの落下物を移送できればよい。
【０００８】
前記グレンシーブ２３は、扱網１５より落下した穀粒と異物とを選別するものであり、所定間隔をおいて揺動方向に複数並設する。グレンシーブ２３は、薄い平板形状に形成し、移送方向の下手側（後側）が高くなるように傾斜させて設ける。
しかして、グレンシーブ２３の下方から移送方向の下手側（後側）の揺動選別棚２０にはチャフシーブ２４を複数並設する。チャフシーブ２４は任意の構成により前記揺動選別棚２０に傾斜角度調節自在に取付ける。チャフシーブ２４の下手側にはストローラック２５を設ける。
揺動選別棚２０の下方所定位置には一番コンベア２６を設け、一番コンベア２６の後側には二番コンベア２７を設ける。２８は揺動選別棚２０に設けた選別網である。
前記脱穀室１１の後方には排塵処理装置３０を連通口３５により連通させて設ける。排塵処理装置３０は、扱胴１０の軸心と略平行な排塵処理胴３１を軸装する。排塵処理胴３１の右側は側板３２により包囲し、排塵処理胴３１の左側は処理網３３により包囲する。３４は排塵処理装置３０の終端に設けた排塵物排出口（図示省略）に臨む排塵処理胴３１に設けた羽根体、３６は排塵処理胴３１の外周面に設けた排塵処理歯である。
【０００９】
なお、排塵処理装置３０の終端は開放してもよいが、本実施例では図示は省略するが閉塞し、排塵物は排塵処理装置３０の側方から揺動選別棚２０上に排出される。
排塵処理装置３０の前側には、二番コンベア２７により回収された二番物を処理する二番処理装置４０を設ける。二番処理装置４０の二番処理胴４１の始端部側上方には二番還元装置４２の先端を開口させ、二番還元装置４２の基部は二番コンベア２７の終端に接続している。二番処理胴４１は、排塵処理胴３１と同心状に配置する。
前記排塵処理装置３０の反対側の側部には吸引排塵ファン４３を設ける。４４は吸引排塵ファン４３のケーシング、４５はケーシング４４の吸引口、４６はケーシング４４の排風口である。
脱穀装置３の後側にはカッター装置４８を設ける。カッター装置４８は公知の構成であり、一対のカッター刃４９を設けている。カッター装置４８の前側には切藁案内板５０を設け、切藁案内板５０は上部を上側カッター刃４９の下部とほぼ同じ高さに位置させる。切藁案内板５０は下方に至るに従い後側に位置するように、後下がりに傾斜させ、切藁案内板５０の下部は下側カッター刃４９の下部より下方に位置させる。
【００１０】
切藁案内板５０はカッター装置４８により切断した排藁の切断藁屑を後方に落下するように案内するものである。
しかして、揺動選別棚２０の後部は、脱穀装置３の後側壁５５に形成した三番排塵口５６に臨ませ、三番排塵口５６には該三番排塵口５６を開閉する三番排塵口シャッタ５７を設ける。三番排塵口シャッタ５７は左右方向の縦板部材により形成し、三番排塵口シャッタ５７の上部を前記三番排塵口５６の上縁付近の後側壁５５に取付具５８により回動自在に取付ける。
そのため、排塵処理装置３０の終端側の処理網３３から排出される穀粒を揺動選別棚２０により回収でき、三番ロスの発生を防止して脱穀効率を向上させる。
この場合、排塵処理装置３０と吸引排塵ファン４３の吸引口４５とは、揺動選別棚２０を挟んで対峙して配置しているので、三番排塵口シャッタ５７を閉めると、排塵処理装置３０から吸引排塵ファン４３の吸引口４５に至る間の揺動選別棚２０のストローラック２５で篩い選別され、カギ又などの回収効率を一層向上させる。
【００１１】
三番排塵口シャッタ５７にはバネ６０を設け、バネ６０は三番排塵口シャッタ５７を三番排塵口５６を開口方向に付勢する。また、三番排塵口シャッタ５７にはワイヤー等の操作伝達部材６１の一端を接続し、操作伝達部材６１の他端は操縦部６等の任意の箇所に設けた操作レバー（図示省略）に接続する。
三番排塵口シャッタ５７は機体旋回時等に適宜三番排塵口５６を閉塞し、閉塞時期は任意である。また、操作伝達部材６１はモーター６２に接続し、モーター６２を適宜自動的に作動させて三番排塵口シャッタ５７を開閉させてもよい。
前記三番排塵口シャッタ５７は、三番排塵口５６を開口させているとき、前記切藁案内板５０の下方で沿うように構成する。
即ち、三番排塵口５６を開口させているとき、側面視三番排塵口シャッタ５７の傾斜と前記切藁案内板５０の傾斜を略同じにする。
【００１２】
そのため、三番排塵口シャッタ５７の上面(後面）に切藁案内板５０からの切断藁や泥土が溜まるのを防止し、切断藁や泥土の溜まりを防止できる範囲で三番排塵口シャッタ５７の開放角度を大きくして、詰まり発生を防止する。
しかして、唐箕ケーシング１７の送風口６５には風割り体６６を設ける。送風口６５は唐箕ケーシング１７の送風口６５の上板部６７と下板部６８の間に設け、上板部６７と下板部６８の上下中間に風割り体６６を配置する。
風割り体６６は、上面６９に対して上面６９より下方に頂点７０を有する三角形状に形成する。
即ち、上面６９は唐箕ケーシング１７の上板部６７と略同傾斜の平坦面により形成し、風割り体６６の下面は側面視下側前部傾斜面７１と下側後部傾斜面７２を有して形成する。
【００１３】
そのため、送風口６５からの送風が送風口６５から流れるとき、風割り体６６の上面６９の上方ではそのまま送風が揺動選別棚２０の選別網２８に向けて流れ、風割り体６６の下方では下側後部傾斜面７２により唐箕１６からの送風が選別網２８を下から上に向けて吹き上がるように流れる(図２）。
したがって、唐箕１６からの送風が選別網２８を抜けやすくなって、揺動選別棚２０の風選別の能力を向上させ、揺動選別棚２０の処理能率および選別性能を向上させる。
この場合、前記唐箕ケーシング１７の上板部６７と風割り体６６の上面６９との間の上側風路７４の延長線上に前記選別網２８の前端および後端が位置するように構成する(図２）。
即ち、上側風路７４からの送風が選別網２８の前端および後端の全範囲で吹き抜けるように構成する。
【００１４】
したがって、唐箕１６からの送風が選別網２８を抜けやすくなって、揺動選別棚２０の風選別の能力を向上させ、揺動選別棚２０の処理能率および選別性能を向上させ、三番ロスの低減が図れる。
しかして、揺動選別棚２０のストローラック２５は、左右に複数並設する共に、左右のストローラック２５の高さを相違させて、吸引排塵ファン４３側のストローラック２５Ａを高くし、かつ、ストローラック２５の始端位置を他のストローラック２５の始端部より前側に位置させる。
そのため、吸引排塵ファン４３の吸引口４５から粗大な藁屑の吸引排出を良好にし、ストローラック２５による後方送り作用の低下を抑制する。
即ち、吸引排塵ファン４３の吸引口４５付近では、粗大な藁屑を吸引口４５に向けて吸引するように吸引風が作用してストローラック２５の後方への送り作用に対してマイナスに作用するため、単に、ストローラック２５を設けたのでは、吸引排塵ファン４３の吸引とストローラック２５の送りの双方に悪影響を与えることになるが、本願では左右のストローラック２５のうち吸引排塵ファン４３側のストローラック２５Ａの高さを高くしているので、高くしたストローラック２５Ａにより粗大な藁屑は低いストローラック２５のときよりも吸引口４５に接近して、吸引排塵ファン４３の吸引口４５から粗大な藁屑の吸引排出を良好にする。これにより、吸引口４５付近のストローラック２５Ａによる後方への送塵作用の低下を抑制できる。
【００１５】
また、高さの高いストローラック２５Ａの始端位置を他のストローラック２５の始端部より前側に位置させているので(図８)、吸引排塵ファン４３の吸引口４５の前方付近の粗大な藁屑の吸引排出作用を向上させ、吸引排塵ファン４３の吸塵作用可能範囲を前後に広げ、ストローラック２５による後方への送塵作用を向上させる。
また、高さを高くした吸引排塵ファン４３側のストローラック２５Ａの左右の間隔(ピッチ）は、高さを低くした排塵処理装置３０側のストローラック２５の左右の間隔(ピッチ）よりも広く形成する。
高さを高くしたストローラック２５Ａのある吸引排塵ファン４３側は吸引排塵ファン４３の吸引口４５により吸気風速が速く、ストローラック２５Ａの左右の間隔(ピッチ）を広げることにより、穀粒の回収効率を向上させて、三番ロスを低減させられる。
即ち、吸引排塵ファン４３の吸引口４５からの粗大な藁屑の吸引排出が良好になるため、ストローラック２５Ａの左右の間隔(ピッチ）を広げることにより、穀粒の回収効率を向上させられる。
【００１６】
しかして、揺動選別棚２０の後方の脱穀装置３の後側壁５５の三番排塵口５６には、三番排塵口シャッタ５７または三番排塵口５６を塞ぐようにシール部材８０を設け、三番排塵口シャッタ５７またはシール部材８０のうち前記高さを高くしたストローラック２５の後方部分は切り欠いて切欠部８１を設ける。
そのため、吸引排塵ファン４３の吸引口４５から吸引排出できない粗大な藁屑を切欠部８１から速やかに機外に排出する。
また、切欠部８１以外の三番排塵口シャッタ５７またはシール部材８０は単粒の機外飛散を抑制して三番ロスを低減させる。
前記シール部材８０は弾性部材により形成し、シール部材切欠部８１の下端は三番排塵口５６より下方に位置させてカッター装置４８から落下する切断藁屑が揺動選別棚２０のストローラック２５上に戻るのを防止しつつストローラック２５上の排塵物は排出できるように構成する。
８２は排塵処理装置３０の終端の排塵排出口、８３はガイドである。
【００１７】
(実施例の作用）
走行装置２により機体を走行させ、刈取部４により穀稈を刈取り、刈り取った穀稈は穀稈供給搬送装置１２により脱穀装置３の脱穀室１１に供給する。
脱穀室１１に供給された穀稈は回転する扱胴１０により脱穀され、脱穀された穀粒は扱網１５から落下して揺動選別装置２１により選別される。
揺動選別装置２１では、往復揺動する揺動選別棚２０と唐箕１６の送風により穀粒と異物とを風選し、穀粒はグレンシーブ２３とチャフシーブ２４の隙間から回収され、藁屑等は下手側のストローラック２５迄移送され、ストローラック２５により三番排塵口５６から機外に排出される。
【００１８】
脱穀室１１で脱穀された被処理物の内扱網１５から漏下しない被処理物は脱穀室１１の後部の連通口から排塵処理装置３０に入り、回転する排塵処理胴３１により処理され処理網３３から揺動選別棚２０に排出され、揺動選別棚２０により選別されて穀粒は回収され、藁屑は機外に排出されする。
しかして、揺動選別棚２０の後方の脱穀装置３の後側壁５５には三番排塵口５６を設け、三番排塵口５６には該三番排塵口５６を開閉する三番排塵口シャッタ５７を設けているから、排塵処理装置３０の終端側の処理網３３から排出される穀粒を揺動選別棚２０により回収でき、三番ロスの発生を防止して脱穀効率を向上させる。
この場合、排塵処理装置３０と吸引排塵ファン４３の吸引口４５とは、揺動選別棚２０を挟んで対峙して配置しているので、三番排塵口シャッタ５７を閉めると、排塵処理装置３０から吸引排塵ファン４３の吸引口４５に至る間の揺動選別棚２０のストローラック２５で篩い選別され、カギ又などの回収効率を一層向上させる。
【００１９】
三番排塵口シャッタ５７は、三番排塵口５６を開口させているとき、カッター装置４８の前側の切藁案内板５０の下方で切藁案内板５０に沿うように設けているので、三番排塵口シャッタ５７の上面(後面）に切藁案内板５０からの切断藁や泥土が溜まるのを防止し、切断藁や泥土の溜まりを防止できる範囲で三番排塵口シャッタ５７の開放角度を大きくして、三番排塵口５６における詰まり発生を防止する。
しかして、揺動選別棚２０のストローラック２５は、左右に複数並設する共に、左右のストローラック２５の高さを相違させて、吸引排塵ファン４３側のストローラック２５を高くし、かつ、ストローラック２５の始端位置を他のストローラック２５の始端部より前側に位置させているので、吸引排塵ファン４３の吸引口４５から比較的粗大な藁屑でも吸引排出でき、吸引口４５付近のストローラック２５による後方送り作用の低下を抑制する。
【００２０】
即ち、吸引排塵ファン４３の吸引口４５付近では、粗大な藁屑を吸引口４５に向けて吸引するように吸引風が作用して吸引できない藁屑を吸引口４５付近に留めようとする傾向が生じ、ストローラック２５の後方への送り作用を阻害させることがあるが、本願では左右のストローラック２５のうち吸引排塵ファン４３側のストローラック２５の高さを高くしているので、高くしたストローラック２５により粗大な藁屑は低く設けたときのストローラック２５に比しストローラック２５上の藁屑を吸引口４５に接近させることができ、吸引排塵ファン４３の吸引口４５から比較的粗大な藁屑であっても吸引排出でき、これにより、吸引口４５付近のストローラック２５による後方への送塵作用の低下を抑制できる。
【００２１】
また、高さの高いストローラック２５の始端位置を他のストローラック２５の始端部より前側に位置させているので、吸引排塵ファン４３の吸引口４５の前方付近の粗大な藁屑の吸引排出作用を向上させ、吸引排塵ファン４３の吸塵作用可能範囲を前後に広げ、ストローラック２５による後方への送塵作用を向上させる。
また、高さを高くした吸引排塵ファン４３側のストローラック２５の左右の間隔(ピッチ）は、高さを低くした排塵処理装置３０側のストローラック２５の左右の間隔(ピッチ）よりも広く形成しているので、高さを高くしたストローラック２５のある吸引排塵ファン４３側は吸引排塵ファン４３の吸引口４５により吸気風速が速く、ストローラック２５の左右の間隔(ピッチ）を広げることにより、穀粒の回収効率を向上させて、三番ロスを低減させられる。
【００２２】
しかして、揺動選別棚２０の後方の脱穀装置３の後側壁５５の三番排塵口５６には、三番排塵口シャッタ５７または三番排塵口５６を塞ぐようにシール部材シール部材８０を設け、三番排塵口シャッタ５７またはシール部材８０のうち前記高さを高くしたストローラック２５の後方部分は切り欠いて切欠部切欠部８１を設けているので、吸引排塵ファン４３の吸引口４５から吸引排出できない粗大な藁屑を切欠部８１から速やかに機外に排出する。
また、切欠部８１以外の三番排塵口シャッタ５７またはシール部材８０は単粒の機外飛散を抑制して三番ロスを低減させる。
【００２３】
しかして、唐箕ケーシング１７の送風口送風口６５には風割り体風割り体６６を設け、送風口６５は唐箕ケーシング１７の上板部上板部６７と下板部下板部６８の間に設け、上板部６７と下板部６８の上下略中間に風割り体６６を配置し、風割り体６６は、上面上面６９に対して上面６９より下方に頂点頂点７０を有する三角形状に形成しているので、風割り体６６の下面側を通る送風は、下から上に向かって吹き上がるように流れ、唐箕１６からの送風が選別網２８を抜けやすくなって、揺動選別棚２０の風選別の能力を向上させ、揺動選別棚２０の処理能率および選別性能を向上させる。
この場合、唐箕ケーシング１７の上板部６７と風割り体６６の上面６９との間の上側風路上側風路７４の延長線上に揺動選別棚２０の選別網２８の前端および後端が位置するように構成しているので、上側風路７４からの送風が選別網２８の前端および後端の全範囲で吹き抜ける。
【００２４】
したがって、唐箕１６からの送風が選別網２８を抜けやすくなって、揺動選別棚２０の風選別の能力を向上させ、揺動選別棚２０の処理能率および選別性能を向上させ、三番ロスの低減が図れる。
なお、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【図面の簡単な説明】
【００２５】
【図１】コンバインの側面図。
【図２】脱穀装置の縦断側面図。
【図３】同平面図。
【図４】同背面図。
【図５】三番排塵口シャッタ付近の側面図。
【図６】三番排塵口シャッタを開閉させる一例の開閉用モータの側面図。
【図７】脱穀装置の一部拡大縦断側面図。
【図８】揺動選別装置の他の実施例の側面図。
【図９】同脱穀装置の側面図。
【図１０】同背面図。
【図１１】同平面図。
【図１２】同背面図。
【符号の説明】
【００２６】
１…機体フレーム、２…走行装置、３…脱穀装置、４…刈取部、５…グレンタンク、６…操縦部、１０…扱胴、１１…脱穀室、１２…穀稈供給搬送装置、１３Ａ…挾扼杆、１３Ｂ…供給搬送チエン、１４…排藁搬送装置、１５…扱網、１６…唐箕、１７…唐箕ケーシング、１８…風選室、２０…揺動選別棚、２１…揺動選別装置、２２…移送棚部、２３…グレンシーブ、２４…チャフシーブ、２５…ストローラック、２６…一番コンベア、２７…二番コンベア、３０…排塵処理装置、３１…処理胴、４０…二番処理装置、４３…吸引排塵ファン、４４…ケーシング、４５…吸引口、４８…カッター装置、４９…カッター刃、５０…切藁案内板、５５…後側壁、５６…三番排塵口、５７…三番排塵口シャッタ、５８…取付具、６０…バネ、６１…操作伝達部材、６２…モーター、６５…送風口、６６…風割り体、６７…上板部、６８…下板部、６９…上面、７０…頂点、７１…下側前部傾斜面、７２…下側後部傾斜面、７４…上側風路、８０…シール部材、８１…切欠部８１。
【図１】
2009232740.tif 000003
【図２】
2009232740.tif 000004
【図３】
2009232740.tif 000005
【図４】
2009232740.tif 000006
【図５】
2009232740.tif 000007
【図６】
2009232740.tif 000008
【図７】
2009232740.tif 000009
【図８】
2009232740.tif 000010
【図９】
2009232740.tif 000011
【図１０】
2009232740.tif 000012
【図１１】
2009232740.tif 000013
【図１２】
2009232740.tif 000014